【手続補正書】
【提出日】平成17年4月13日(2005.4.13)
【手続補正１】
【補正対象書類名】明細書
【補正対象項目名】全文
【補正方法】変更
【補正の内容】
【書類名】      明細書
【発明の名称】  クリップ装置及びクリップ装置を用いた携帯電話機などの支持装置
【特許請求の範囲】
【請求項１】  略四角状のプレート板(1b)と、プレート板(1b)の上方の表面側に設けられ、プレート板(1b)との間に挟圧力を生じる弾性材より成る押え金具(1c)と、プレート板(1b)の表面側の上端部に固定したクリップ片(1a)を備えた挟持具(1h)と、プレート板(1b)の上方の裏面側に設けた弾性材製の湾曲可能なフック(1d)と、プレート板(1b)の裏側に設けた面ファスナー(1e)とから構成され、前記プレート板(1b)と押え具(1c)との間でカード(Ca)などを挟持すると共に、面ファスナー(1e)を介してプレート板(1b)の裏面側に携帯電話機(T)等を保持固定することを特徴とするクリップ装置。
【請求項２】  略四角状のプレート板(1b)と、プレート板(1b)の上方の表面側に設けられ、プレート板(1b)との間に挟圧力を生じる弾性材より成る押え具(1c)と、プレート板(1b)の表面側の上端部に固定したクリップ片(1a)を備えた挟持具(1h)と、プレート板(1b)の上方の裏面側に設けた弾性材製の湾曲可能なフック(1d)と、プレート板(1b)の裏側に設けた面ファスナー(1e)とから成るクリップ装置（１）と、後頭部へ嵌挿する略半円状のバンド部(2b)を備えると共に、バンド部(2b)の両端部に前記クリップ装置（１）のフック(1d)を係止するハンガー部(2a)を設けた耳掛けハンガー用具（２）と、から構成され、耳掛けハンガー用具（２）を介してクリップ装置（１）のプレート板(1b)の裏側に保持固定した携帯電話機（T）などを耳の近傍に支持することを特徴とするクリップ装置を用いた携帯電話機などの支持装置。
【請求項３】  略四角状のプレート板(1b)と、プレート板(1b)の上方の表面側に設けられ、プレート板(1b)との間に挟圧力を生じる弾性材より成る押え金具(1c)と、プレート板(1b)の表面側の上端部に固定したクリップ片(1a) を備えた挟持具(1h)と、プレート板(1b)の上方の裏面側に設けた弾性材製の湾曲可能なフック(1d)と、プレート板(1b)の裏側に設けた面ファスナー(1e)とから成るクリップ装置（１）と、下端部に前記フック(1d)を係合保持するためのフック受け部(3a)を備えた細幅状の基板(3f)と、下端部に前記プレート(1b)の裏面側に固定した携帯電話機（Ｔ）の上端部との間で耳たぶを挟む挟持片(3b)を備え、前記基板(3f)と対向状に配設した細幅状のレバー(3g)と、前記基板(3f)とレバー(3g)との間に介設され、基板（3f）の下方部とレバー（3g）の下方部に対向状に設けた挟持片(3b)とを接当方向に付勢するスプリング(3d)とから成る耳掛けピンチ具（３）とから構成され、耳掛けピンチ具（３）を介してクリップ装置（１）のプレート(1b)の裏側に保持固定した携帯電話機（T）等を耳の近傍に支持することを特徴とするクリップ装置を用いた携帯電話機などの支持装置。
【発明の詳細な説明】
【０００１】
【発明の属する技術分野】
本発明は、頻繁に使用する定期乗車券のようなカード類の整理・保管並びに携帯電話機などの保持・固定に使用するクリップ装置と、携帯電話機を耳の近傍に支持することによりハンズフリーの状態を可能にする携帯電話機などの支持装置の改良に関するものである。
【０００２】
【従来の技術】
通勤・通学定期乗車券の様なカード類の整理・保管には、所謂定期券入れや透明アクリルケースが多く利用されて来た。
しかし、現在のように自動化された改札用の定期券などは、ポケットやハンドバッグ等にそのまま無造作に入れてしまうと、どのポケットに入れたのかが分からなくなる場合が多々あり、実用上様々な問題を生ずることになる。
【０００３】
また、携帯電話機などの小物類は、衣服やカバン等のポケットの縁に固定した紐の付いた脱着クリップや首に掛けた紐又は鎖等で連結して、落下の防止や紛失防止を図っている。
しかし、紐が長いと取り扱いの邪魔になるうえ、落下時に携帯電話機などを破損する場合がある。また、短いと自由度が制限される。
更に、螺旋状の紐（カールコード）の一端にクリップを付けたものが、落下防止用として多く用いているが、螺旋状にすると紐が見かけ上太くなり、目障りでもある。また、格納に場所を取り、収まりにくくなるという問題もある。
加えて、前記クリップには、落下時の加速度を考慮し、かなりピンチ力(挟む力)の強い物が使用されている。このため、脱着に手数がかかり、取扱いに不便さを感じる場合が多くあり、手軽に使用し難くいという問題もある。その他にも、首に掛けるネックレスタイプのもの等色々存在するが、体裁や取り扱いの点で敬遠されることが多い。
【０００４】
一方、携帯電話機などの保持・固定具としては、その背面に直接両面テープで貼り付け固定する形式のクリップ装置が市販されている。
しかし、携帯電話機などの背面に直接クリップ装置を貼り付けると、クリップの挟み高さの位置がどうしても低い位置になり、胸のポケットに携帯電話機を収納したような場合にはその上位部分が大きく露出する格好となり、不安定に見える。
また、ワイシャツのような生地が薄いポケットの中央部にクリップした場合には、ポケットの底から浮き上がる格好となり、携帯電話機の重さでポケットにクリップされている部分が落ち込んだり傾いたりして、不安定で見苦しくなる。
【０００５】
また、携帯電話機のハンズフリー化に付いては、携帯電話機本体にスピーカー装置やてぶら機能が内蔵されて便利になっているものの、一般的にはイヤホンマイクが使用されており、ハンズフリー用の特別な携帯電話機用の支持装置は開発されていない。そのため、自動車等の運転中に電話が掛って来ると、イヤホンマイクのセットが面倒なため直ちに対応することが出来ず、つい片手運転に成ってしまうこととなり、極めて危険である。
【０００６】
【発明が解決しようとする課題】
本発明は、頻繁に使うカード類（自動定期乗車券や共同住宅の玄関や職場等の部屋の入口ドア識別カード等）の保管や管理を簡単に行えると共に、従来のようにカード類を財布やハンドバッグに入れて保持するのではなく、クリップ装置に挟んだ状態で衣服またはカバンのポケット等に保持固定できるようにしたクリップ装置を提供せんとするものである。
また、本発明は、携帯電話機などの小物類を確実に衣服やカバンのポケットに保持・固定するようにしたクリップ装置を提供せんとするものである。
【０００７】
更に、本発明は、携帯電話機を耳の近傍に簡単且つ確実に保持することができ、所謂完全なハンズフリーの状態を容易に実現できるようにした携帯電話機の支持装置を提供するものである。
【０００８】
【課題を解決するための手段】
上記の目的を達成する為に、本発明の請求項１に係るクリップ装置の発明は、略四角状のプレート板1bと、プレート板1bの上方の表面側に設けられ、プレート板1bとの間に挟圧力を生ずる弾性材より成る押え具1cと、プレート板1bの表面側の上端部に固定したクリップ片1aを備えた挟持具1hと、プレート板1bの上方の裏面側に設けた弾性材製の湾曲可能なクリップ1dと、プレート板1bの裏面側に設けた面ファスナー1eとから構成され、前記プレート板1bと押え具1cとの間でカードCa類などを挟持すると共に、面ファスナー1eを介してプレート板1bの裏面側に携帯電話機Ｔなどを保持固定することを発明の基本構成とするものである。
【０００９】
また、本発明の請求項2に係るクリップ装置を用いた携帯電話機などの支持装置の発明は、略四角状のプレート板1bと、プレート板1bの上方の表面側に設けられ、プレート板1bとの間に挟圧力を生ずる弾性材より成る押え具1cと、プレート板1bの表面側の上端部に固定したクリップ片1aを備えた挟持具1hと、プレート板1bの上方の裏面側に設けた弾性材製の湾曲可能なクリップ1dと、プレート板1bの裏面側に設けた面ファスナー1eとから成るクリップ装置１と、後頭部へ嵌挿する略半円状のバンド部２bを備えると共に、バンド部２bの両端部に前記クリップ装置１のフック1bを係止するハンガー部2aを設けた耳掛けハンガー用具２と、から構成され、耳掛けハンガー用具２を介してクリップ装置１のプレート板1bの裏側に保持固定した携帯電話機Tなどを耳の近傍に支持することを発明の基本構成とするものである。
【００１０】
更に、本発明の請求項３に係るクリップ装置を用いた携帯電話機などの支持装置の発明は、略四角状のプレート板1bと、プレート板1bの上方の表面側に設けられ、プレート板1bとの間に挟圧力を生じる弾性材より成る押え具1cと、プレート板1bの上端部に固定したクリップ片1aを備えた挟持具1hと、プレート板1bの上方の裏面側に設けた弾性材製の湾曲可能な自在フック1dと、プレート板1bの裏側に設けた面ファスナー1eとから成るクリップ装置１と、下端部に前記自在フック1dを係合保持するためのフック受け部3aを備えた細幅状の基板3fと、下端部に前記プレート1bの裏面側に固定した携帯電話機Ｔの上端部との間で耳たぶの上部を挟む挟持片3bを備え、前記基板3fと対向状に配設した細幅状のレバー3gと、前記基板3fとレバー3gの間に介設され、基板3fの下方部とレバー3gの下方部に設けた挟持片3bとを接当方向に付勢するスプリング3dとから成る耳掛けピンチ具３とから構成され、耳掛けピンチ具３を介してクリップ装置１のプレート板1bの裏側に保持固定した携帯電話機Tなどを耳の近傍に支持することを発明の基本構成とするものである。
【００１１】
【発明の実施の形態】
以下、本発明の実施の形態を図面に基づいて詳細を説明する。
図１はクリップ装置１の斜面図であって、図１に於いて、1aはクリップ片、1bはプレート板、1cは押え具、1dは弾性材製湾曲可能なフック、1eは面ファスナー、1fは切り込み、1gはレバー部、1hはクリップ片1aとレバー部1gとから成る挟持具である。
【００１２】
このクリップ装置１は、アクリル製または軽金属製の略四角状のプレート板1bの上端部に、クリップ1aとレバー部1gとから成る挟持具1hを取り付けすると共に、プレート板1bの表側上部に、アクリルや金属製の薄板の弾力を生かした押えの具1cを形成し、この押え具1cと弾力のあるプレート板1bとの間にカード類Ｃaを挟み込んで固定保持するものである。
【００１３】
クリップ装置１へのカード類Caの装着(保持)は、プレート部1bに沿わして滑らすようにカード類Caを押え具1cの下方へ挿入する。これにより、簡単にカード類Caを保持・固定することができる。
図２は、クリップ装置１へカード類Caを接着固定した状態を示す正面図である。
【００１４】
また、クリップ装置１へ挿着固定したカード類Caを外すには、軽くカード類Caを引くだけでよい。更に、当該クリップ装置１は、カード類Caを挿着・固定した状態で挟持具1hを介して、衣服やカバン等のポケットの縁に挟み保持する。
なお、押え具1cには、図３に示すように切り込み1fが設けられており、切り込みの深さにより押え具1cの挟持圧力の調節ができると共に、切り込み部分の上側を内曲げればカードストッパーとなり、挿入したカード類Caの上端が切り込み1fの内曲げ部に接当し、カード類Caが一定の深さで傾く事無くクリップ装置１に収まる。
【００１５】
前記プレート板1bの上端部の背面には、曲げ具合が自由に調整できる自在フック1dが設けられており、更に、プレート板1bの裏面(背面)には面ファスナー1eが設けられている。
【００１６】
前記自在フック1dは、図4に示す如く、面ファスナー1eを介してプレート板1bへ固定した携帯電話機や小物類Ｔaの接着力をはがすための指のガイド役となり、また、カード類Caを保持したクリップ装置１を別の場所に引っ掛けて保管するための役目もする。そして、当該自在フック1dは後述するように、携帯電話機などのハンズフリー用支持金具を形成する場合の主要な構成部材を成すものである。
【００１７】
なお、図5は、図1のクリップ装置１へ取り付けようとする携帯電話機Tの裏面図であり、携帯電話機Ｔの裏面に貼り付けた係止体Taが、図４に示すようにプレート板1bの面ファスナー１eに密着することにより、クリップ装置１に安定に保持される。
また、クリップ装置１の挟持具1hを介して、これを衣服やカバン等のポケットに挟み付けることにより、携帯電話機や小物類の脱落を防止することができる。
【００１８】
図６は携帯電話機のハンズフリー用支持装置を形成するための耳掛けハンガー用具２の斜面図で、素材は軽金属又は合成樹脂類で作られていて、後頭部へ挿着するための半円状のバンド部2bと、バンド部2bの両端に設けたハンガー部2aとを備えている。
即ち、図1のクリップ装置１の自在フック1dをこの耳掛けハンガー用具２のハンガー部2ａに引っ掛けることにより、携帯電話機Tを耳の近傍に保持固定し、ハンズフリーの状態にして通話をする。
【００１９】
図７に示すように、この耳掛けハンガー用具２は、眼鏡とは逆に後頭部にセットされるため、眼鏡使用の有無に関係なく使用できる。また、眼鏡の蔓に携帯電話機Tを吊るすのではないため眼鏡の鼻柱の受け部に荷重が掛らず、長時間の使用に適している。
眼鏡と併用の場合には、先に、耳掛ハンガー用具２を装着し、その上を眼鏡の耳掛け部で押える形で使用する。
【００２０】
使用に際しては、先ず頭部に装着した耳掛けハンガー用具２のハンガー部2aに、携帯電話機Ｔがセットされているクリップ装置１のフック1dを引っ掛ける様に吊るす。この場合、クリップ装置１の面ファスナー1eにより、携帯電話機Tを図７に示すように左又は右に適当に傾けて接着する。当該の耳掛けハンガー用具２を使う事により、両手が自由に使え、通話時にも煩雑なビジネス事務処理や自動車・工作機械等の運転作業を能率よく行うことができる。この結果、通話中での作業能率は低下すること無く進み、作業中等の運転の安全性も確保される。
【００２１】
図８は、携帯電話機のハンズフリー用支持装置を形成するための耳掛けピンチ具３の斜面図であり、図８に於いて3fは細幅状の基板、3aは基板の下端部に形成したフック受け部、3cはフック受け部3aの裏側に設けた支持片〔この支持片3cは携帯電話機本体上端部で働きを代行させる事で省略することが出来る〕、3eはフック受け部3aの上方の表側に設けた押え金具、3gは基板3fと対向状に設けた細幅状のレバー、3bはレバー3gの下方部に形成した挟持片、3dは基板3fとレバー3gとの間に介設したスプリングであり、基板3fの下方部（又は支持片3c）と挟持片3bとが接当する方向に両部材3f、3gを付勢するものである。
【００２２】
当該図８の耳掛けピンチ具３は、前記図１のクリップ装置１と組み合わせて使用されるものであり、使用に当たっては、図９に示すように、先ず、クリップ装置１の裏面のフック1dを耳掛けピンチ具３のフック受け部3aに差し込みする。
次に、押え具3eにより挟持具1aのレバー部1gの頭部を押え、これによって、クリップ装置１と耳掛けピンチ具３とを固定し一体化する。
その後、携帯電話機Ｔをクリップ装置１へ、面ファスナー1e及び係止体Taを介して、図１０に示すようにセットする。
【００２３】
そして、携帯電話機Tがセットされた耳掛けピンチ具３の支持片3cまたは携帯電話機上端部と挟持片3bとの間に耳たぶの上部を挟み、図１０に示すような状態で携帯電話機Tを耳の近傍に保持することにより、ハンズフリーとする。
【００２４】
なお、耳たぶを挟む挟持片3b側には、違和感が無いようにクッション等を介設することが望ましい。また、携帯電話機Tの重力は、耳掛けピンチ具３の挟む力で支えるのではなく、この挟持片3bを介して耳の上部に垂直方向に加わるため、スプリング3dにより耳たぶを挟む力そのものは強くする必要は無く、ただ、耳掛けピンチ金具３の前後へのブレを無くす程度の強さで安定に支持することができる。
【００２５】
携帯電話機を固定したクリップ装置１をポケット等へ挟着しているときには、先ず、ポケットの縁を挟んでいる挟持具1hのクリップ片1aの挟みを外し、携帯電話機Ｔとクリップ装置１とを分離しないで一体化したままの取り出し、通話に使う。また、クリップ装置１をポケットの縁に固定したままで、面ファスナー1e、と係止体Ｔaの接着面を、指ガイド兼用の自在フック1dに指を添わして挿し入れすることにより係合部分を剥がし、携帯電話機Tだけを単体で取り出して通話に使うことも無論出来る。
【００２６】
逆に、クリップ装置１を衣服等のポケットにセットしたままの状態で、携帯電話機Tなどをポケット内に於いてクリップ装置１に固定する場合には、携帯電話機の係止体Ta部分を指で隠すような状態でポケット内へ挿入し、左右上下位置を確認してから指を外し、外方より軽く押えることにより固定する。
【００２７】
前記図５のように、携帯電話機Tの裏面に面ファスナーなどの係止体Taを貼り付ける事により、この係止体Taを利用して、予め面ファスナーを貼り付けした任意の場所(車のダッシュボードや居間・書斎など手近な所)に携帯電話機や小物類等を固定する事が出来る。
【００２８】
本発明のクリップ装置１を利用し、名札用としても利用できる。即ち、上端部にあるクリップ片1aのガイド部分に沿わすようにして名札用の名盤を嵌め込み、会社や学校その他公共の場での名札用とし使用することが出来る。
また、好みのマスコットや人気のキャラクターを名札同様に取り付けして楽しむことも出来、非常に重宝なクリップ装置である。
【００２９】
【発明の効果】
本発明に係るクリップ装置１では、プレート板1bと押え具1cとを備えているため、多種多様のカード類の中で頻繁に使用するカード類（例えば、自動改札機用定期乗車券、自動ドアの入口認識カード等）だけを選び、クリップ装置１を用いてカバンや衣服のポケット等に簡単に、しかも確実に固定する事ができる。その結果、定期券入れや財布等を使わないで、目的のカードをプレート板1bと押え具1c間へ挟み込むだけで、手軽に頻繁に使うカード類を選んで管理する事が出来、紛失やしまい忘れの心配もなく迅速にカード類の管理が行える。
【００３０】
また、クリップ装置１を使用する事で、携帯電話機Tを始めポケット等に入る程度の大きさの小物類をポケットに入れている際に、これ等が外部へ滑り出したり、落下したりするのを確実に防止する事が出来る。
【００３１】
本発明の携帯電話機などの支持装置は、クリップ装置１と耳掛ハンガー用具２や耳掛ピンチ具３を組み合わせる事により、携帯電話機を両手共使わずにハンズフリーで使用することができる。その結果、煩雑な事務作業中の通話や自動車等の運転中の通話、その他長時間に渡る通話などがハンズフリーの状態下で行え、作業能率や安全性が大幅に向上する。
本発明は上述の通り、優れた実用的効用奏するものである。
【図面の簡単な説明】
【図１】本発明の実施形態に係るクリップ装置１の斜視図である。
【図２】クリップ装置１にカードを装着した時の正面図である。
【図３】図1の押え具の部分を示す拡大斜面図である。
【図４】クリップ装置１に携帯電話機を装着した状態を示す側面概要図である。
【図５】携帯電話機の背面への面ファスナー等の係止体を貼り付けした場合の背面図である。
【図６】耳掛けハンガー用具の斜視図である。
【図７】耳掛けハンガー用具とクリップ装置１の組み合わせに係る支持金具の使用状態を示す説明図である。
【図８】耳掛けピンチ具３の斜面図である。（破線部分の3cは省略可能）
【図９】クリップ装置１と耳掛けピンチ具３との組み合わせに係る支持具の斜視図である。
【図１０】図９の支持具の使用状態を示す説明図である。
【符号の簡単な説明】
１はクリップ装置、1aはクリップ片、1bはプレート板、1cは押え具、1dは背面自在フック、1eは面ファスナー、1fはカードストッパー切り込み、1gはレバー部、1hは挟持具、２は耳掛けハンガー用具、2aはハンガー部、2bは後頭部用バンド部、３は耳掛ピンチ具、3aは1bのフック受け部、3bは挟持片、3cは支持片〔省略可〕、3dはスプリング、3eは押え具、3fは基板、3gはレバー。
【手続補正２】
【補正対象書類名】図面
【補正対象項目名】図１１
【補正方法】削除
【補正の内容】